(57)【要約】  共振構造（４）の少なくとも１つの特性パラメータを決定する方法は、以下のステップ、即ち、第一に、第１のアンテナ（２）の遠距離場内及び第２のアンテナ（５）の遠距離場内に位置する場所に共振構造（４）を配置するステップと、第二に、第１のアンテナ（２）を用いて所定の周波数範囲内の異なる周波数を持つ電磁波（ＥＥＷ）を放射するステップであって、放射された電磁波（ＥＥＷ）が共振構造（４）により変更され、変更された電磁波（ＭＥＷ）が得られる、当該放射するステップと、第三に、第１の決定するステップの間に、放射された電磁波（ＥＥＷ）に関連する電力を表す第１の電力値を決定するステップと、第四に、第２のアンテナ（５）を用いて、生成された変更された電磁波（ＭＥＷ）を受信するステップと、第五に、第２の決定するステップの間に、受信された変更された電磁波（ＭＥＷ）に関連する電力を表す第２の電力値を決定するステップと、第六に、前記第１及び第２の決定するステップの間に決定された前記第１及び第２の電力値を使用することにより前記少なくとも１つの特性パラメータを決定するステップとを有する。
2007526576.tif 000002
【特許請求の範囲】
【請求項１】
共振構造の少なくとも１つの特性パラメータを決定する方法において、
ａ）第１のアンテナの遠距離場内及び第２のアンテナの遠距離場内に位置する場所に前記共振構造を配置するステップと、
ｂ）前記第１のアンテナを用いて所定の周波数範囲内の変化する周波数を持つ電磁波を放射するステップであって、前記放射された電磁波が前記共振構造により変更され、変更された電磁波が得られる、当該放射するステップと、
ｃ）第１の決定するステップの間に、前記放射された電磁波に関連する電力を表す第１の電力値を決定するステップと、
ｄ）前記第２のアンテナを用いて前記得られた変更された電磁波を受信するステップと、
ｅ）第２の決定するステップの間に、前記受信された変更された電磁波に関連する電力を表す第２の電力値を決定するステップと、
ｆ）前記第１及び第２の決定するステップの間に決定された前記第１及び第２の電力値を使用することにより前記少なくとも１つの特性パラメータを決定するステップと、
を有する方法。
【請求項２】
前記電磁波が無線周波数領域内の周波数を持つことを特徴とする、請求項１に記載の方法。
【請求項３】
前記電磁波が８００ＭＨｚより上の周波数を持つことを特徴とする、請求項１に記載の方法。
【請求項４】
アンテナ又はトランスポンダの少なくとも１つの特性パラメータが決定されることを特徴とする、請求項１に記載の方法。
【請求項５】
前記電磁波が無響室を伝播することを特徴とする、請求項１に記載の方法。
【請求項６】
前記第１及び第２の決定するステップを実行するために決定装置に対してスルーキャリブレーションが実行されることを特徴とする、請求項１に記載の方法。
【請求項７】
前記第１及び第２の決定するステップを実行するために決定装置に対して２ポートキャリブレーションが実行されることを特徴とする、請求項１に記載の方法。
【請求項８】
前記第１及び第２の決定するステップの間に決定された電力が、ネットワークアナライザを用いて決定されることを特徴とする、請求項１に記載の方法。
【請求項９】
前記共振構造の共振周波数が決定されることを特徴とする、請求項１に記載の方法。
【請求項１０】
前記共振構造の相対的伝送効率が決定されることを特徴とする、請求項１に記載の方法。
【請求項１１】
共振構造の少なくとも１つの特性パラメータを決定する装置において、
ａ）第１のアンテナと、
ｂ）第２のアンテナと、
ｃ）前記第１のアンテナの遠距離場内及び前記第２のアンテナの遠距離場内に位置する場所に前記共振構造を保持する保持装置と、
ｄ）変化する周波数を持つＨＦ信号を生成する信号生成器であって、前記信号生成器により生成された前記ＨＦ信号が前記第１のアンテナに転送可能であり、前記第１のアンテナが、変化する周波数を持つ電磁波を前記共振構造に放射するように備えられ、前記共振構造が、前記放射された電磁波を変更し、変更された電磁波を得るように処理し、前記第２のアンテナが前記生成された変更された電磁波を受信するように備えられる、当該信号生成器と、
ｅ）前記第１のアンテナにより放射された前記放射された電磁波に関連する電力を表す第１の電力値を決定し、第１の決定結果を生成する第１の決定装置と、
ｆ）前記第２のアンテナにより受信された前記受信された変更された電磁波に関連する電力を表す第２の電力値を決定し、第２の決定結果を生成する第２の決定装置と、
ｇ）前記第１の電力値及び前記第２の電力値を処理し、前記第１及び第２の電力値を使用することにより前記少なくとも１つの特性パラメータを決定する処理手段と、
を含む装置。
【請求項１２】
前記信号生成器がネットワークアナライザにより実現されることを特徴とする、請求項１１に記載の装置。
【請求項１３】
前記信号生成器が増幅器を介して前記第１のアンテナに接続されることを特徴とする、請求項１１に記載の装置。
【請求項１４】
前記第１の決定装置及び前記第２の決定装置の両方が１つの決定機器により実現されることを特徴とする、請求項１１に記載の装置。
【請求項１５】
前記決定機器が前記ネットワークアナライザにより実現されることを特徴とする、請求項１２及び１４のいずれか一項に記載の装置。
【請求項１６】
前記処理手段が前記ネットワークアナライザにより実現されることを特徴とする、請求項１２に記載の装置。
【請求項１７】
前記第１のアンテナ、前記保持装置、及び前記第２のアンテナが無響室内に位置することを特徴とする、請求項１１に記載の装置。
【請求項１８】
前記第１のアンテナ及び前記第２のアンテナが無線周波数範囲内の電磁波を放射及び受信するように実現されることを特徴とする、請求項１１に記載の装置。
【請求項１９】
前記第１のアンテナが送信アンテナにより実現され、前記第２のアンテナが受信アンテナにより実現されることを特徴とする、請求項１４に記載の装置。
【請求項２０】
前記保持装置が回転する移動可能な台を含むことを特徴とする、請求項１１に記載の装置。
【請求項２１】
前記保持装置の材料が、少なくとも主に、１に近い誘電率と１に近い透磁率とを持つ材料からなることを特徴とする、請求項１１に記載の装置。
【発明の詳細な説明】
【技術分野】
【０００１】
本発明は、共振構造の少なくとも１つの特性パラメータを決定する方法に関する。
【０００２】
更に、本発明は、共振構造の少なくとも１つの特性パラメータを決定する装置に関する。
【背景技術】
【０００３】
本発明は、アンテナ又はトランスポンダのような共振電気構造（resonant electric structure）、特に“無線周波数識別（Radio Frequency Identification）”システム、簡潔にはＲＦＩＤシステムに対するトランスポンダを試験及び同調するのに使用されることができる。
【０００４】
トランスポンダシステムのような自動及び無線識別システムは、ますます重要になってきており、徐々に周知のバーコードに取って代わっている。このようなトランスポンダシステムは、リーダ（reader）及び少なくとも１つのトランスポンダを有する。トランスポンダは、第一に、例えば製品を識別する全ての関連するデータを有するチップを有し、第二に、関連する周波数帯域で動作することができるトランスポンダアンテナを有する。前記トランスポンダアンテナは、共振電気回路により実現される共振電気構造の一部である。これに関連して、９０２ＭＨｚから９２８ＭＨｚの範囲を取るアメリカのＵＨＦ帯域のようなＩＳＭ帯域が使用されることができる。リーダは、リーダアンテナを有する。前記トランスポンダアンテナ及び前記リーダアンテナを用いて、前記トランスポンダと前記リーダとの間の双方向の無線通信が可能にされる。
【０００５】
前記リーダから数メートル離れたトランスポンダとの情報の交換は、特に８００ＭＨｚより上の無線周波数範囲で動作する処理手段を必要とする。これらのシステムは、既に述べられたように、一般に“無線周波数識別”システム、簡潔にはＲＦＩＤシステムと称される。
【０００６】
パッシブトランスポンダから所望の情報を得るために、前記リーダは、前記リーダアンテナを起動して波長λを持つ電磁波を放射し、ここで前記放射された電磁波は電磁場を生じる。前記トランスポンダの共振電気構造は、波長λに対応する共振周波数を持つように設計され、したがって前記電磁場からエネルギを吸収する。前記吸収されるエネルギは、前記チップを動作するのに使用される。負荷変調（load-modulation）スイッチをオン及びオフに切り替える結果として前記電磁波の振幅変調が前記リーダにより生成及び放射され、前記トランスポンダに送信される。この負荷変調スイッチの切り替えプロシージャが前記トランスポンダに記憶されたデータにより制御される場合、これらのデータは、前記リーダに送信される。このデータ送信方法は、負荷変調と称される。
【０００７】
ドイツ特許文献第ＤＥ１０１１７２４９Ａ１号において、コイルがトランスポンダにおける使用に対して備えられる無線試験装置が開示されている。前記コイルは、変化する周波数の無線周波数（ＲＦ）場を受ける。前記ＲＦ場は、前記コイルにより影響を受け、変更され、結果として変更されたＲＦ場を生じ、前記変更されたＲＦ場がアンテナにより検出される。前記コイルは、前記アンテナの非常に近くに配置されるので、前記コイルは、近接場（near field）内に位置する。
【０００８】
米国特許文献第ＵＳ６１０４２９１号において、ＲＦＩＤタグを試験する方法が開示されている。前記ＲＦＩＤタグは、前記リーダと通信するためにリーダアンテナの近接場に配置される。前記ＲＦＩＤタグの様々なコマンド及び機能が試験され、プログラミング、及び識別等のような情報は、前記タグに送信される。
【発明の開示】
【発明が解決しようとする課題】
【０００９】
本発明の目的は、共振構造の少なくとも１つの特性パラメータ及び／又は性質を決定し、特性結果を送り、前記特性結果によって前記共振構造を同調することを可能にする無線の方法及び対応する装置を提供することである。
【００１０】
本発明の他の目的は、無線で共振構造の共振周波数及び伝送効率を決定することである。
【課題を解決するための手段】
【００１１】
本発明によると、上述の目的は、独立請求項に規定されるフィーチャを備えることにより達成される。本発明による好適な実施例は、これに加えて下位請求項に規定されるフィーチャを有する。
【００１２】
本発明による方法は、以下に特定される形で特徴付けられることができる。
【００１３】
共振構造の少なくとも１つの特性パラメータを決定する方法は、
ａ）第１のアンテナの遠距離場（far field）内及び第２のアンテナの遠距離場内に位置する場所に前記共振構造を配置するステップと、
ｂ）前記第１のアンテナを用いて所定の周波数範囲内の変化する周波数を持つ電磁波を放射するステップであって、前記放射された電磁波が前記共振構造により変更され（modified）、変更された電磁波が得られる、当該放射するステップと、
ｃ）第１の決定するステップの間に、前記放射された電磁波に関連する電力を表す第１の電力値を決定するステップと、
ｄ）前記第２のアンテナを用いて前記得られた変更された電磁波を受信するステップと、
ｅ）第２の決定するステップの間に、前記受信された変更された電磁波に関連する電力を表す第２の電力値を決定するステップと、
ｆ）前記第１及び第２の決定するステップの間に決定された前記第１及び第２の電力値を使用することにより前記少なくとも１つの特性パラメータを決定するステップと、
を有する。
【００１４】
本発明による装置は、以下に特定される形で特徴付けられることができる。
【００１５】
共振構造の少なくとも１つの特性パラメータを決定する装置は、
ａ）第１のアンテナと、
ｂ）第２のアンテナと、
ｃ）前記第１のアンテナの遠距離場内及び前記第２のアンテナの遠距離場内に位置する場所に前記共振構造を保持する保持装置と、
ｄ）変化する周波数を持つＨＦ信号を生成する信号生成器であって、前記信号生成器により生成された前記ＨＦ信号が前記第１のアンテナに転送可能であり、前記第１のアンテナが、変化する周波数を持つ電磁波を前記共振構造に放射するように備えられ、前記共振構造が、前記放射された電磁波を変更し、変更された電磁波を得るように処理し、前記第２のアンテナが前記生成された変更された電磁波を受信するために備えられる、当該信号生成器と、
ｅ）前記第１のアンテナにより放射された前記放射された電磁波に関連する電力を表す第１の電力値を決定し、第１の決定結果を生成する第１の決定装置と、
ｆ）前記第２のアンテナにより受信された前記受信された変更された電磁波に関連する電力を表す第２の電力値を決定し、第２の決定結果を生成する第２の決定装置と、
ｇ）前記第１の電力値及び前記第２の電力値を処理し、前記第１及び第２の電力値を使用することにより前記少なくとも１つの特性パラメータを決定する処理手段と、
を含む。
【００１６】
前記の新しい方法は、共振構造、例えばトランスポンダの入出力回路の特性パラメータの説得力のある値が、前記トランスポンダが動作するように設計された条件と同様な条件下で試験が実行される場合のみに得られることができるというアイデアに基づく。したがって、ＲＦＩＤシステムのトランスポンダがリーダの遠距離場において動作するように設計される場合、前記トランスポンダは、本発明による前記方法及び本発明による前記装置を用いて試験される場合に放射源の遠距離場に配置されるべきである。
【００１７】
この必要条件の基礎をなす理由は、前記アンテナの入力インピーダンスＺantが前記トランスポンダの環境の条件に依存することである。例えば、トランスポンダが、リーダの遠距離場において機能するように設計されるが、前記リーダの近接場に配置される場合、インピーダンスＺantは、通常は、前記チップのインピーダンスＺchipの共役複素数値である所望の値とは不釣合いである（この場合、前記トランスポンダの伝送効率が最良である）。その理由は、前記トランスポンダの近接場結合が妨害されることである。リーダとトランスポンダとの間の距離が増大される場合、前記インピーダンスＺantは変化し、所望の値に近づく。
【００１８】
前記得られたパラメータが前記共振構造全体のものであることは強調されるべきである。トランスポンダが試験される場合、前記得られたパラメータは前記トランスポンダ全体の特性であり、チップ単独又はアンテナ単独のものではない。
【００１９】
本発明による前記方法を用いると、前記共振構造は、前記第１のアンテナの遠距離場内及び前記第２のアンテナの遠距離場内に位置する場所に配置される。アンテナの遠距離場内の位置は、前記共振構造と前記アンテナとの間の距離が、前記アンテナに印加される又は前記アンテナにより受信される電磁波の波長の少なくとも３倍である場合に得られる。
【００２０】
決定プロシージャの間、信号生成器、好ましくはネットワークアナライザは、前記第１のアンテナに送信されるＨＦ信号を出力する。前記出力されたＨＦ信号の電力値は、前記信号生成器において既知である。したがって、この第１の電力値は非常に単純な形で決定されることができる。前記第１のアンテナは、前記ＨＦ信号に対応する電磁波を放射する。前記決定プロシージャの間、前記第１のアンテナにより放射される電磁波の周波数は、前記信号生成器により生成及び出力された前記ＨＦ信号を掃引（sweeping）することにより第１の所定の周波数値と第２の所定の周波数値との間で掃引される。前記第１のアンテナから前記第２のアンテナへの前記放射された電磁波の伝送の途中に、前記伝送は、前記トランスポンダにより影響を受け、変更される。このアプローチは、前記の２つのアンテナの間で伝送スペクトルを測定することを可能にする。したがって、前記共振電気構造の１つ以上の特性パラメータが決定されることができる。
【００２１】
周波数掃引は、掃引機能を持つ信号生成器を使用することにより実現されることができる。前記放射された電磁波を生成するのに必要とされる電力は、直接的に前記信号生成器の出力電力であることができる。しかしながら、これに加えて前記信号生成器の出力信号を増幅する増幅器を備えることも可能であり、有利である。
【００２２】
前記電磁波は、約１ＭＨｚと約５．６ＧＨｚとの間の周波数を含むべきである無線周波数（ＲＦ）範囲内の周波数を持つことができ、これは、２．４５ＭＨｚの周辺の関心のある周波数範囲が組み込まれていることを意味する。好ましくは、前記電磁波は、約８００ＭＨｚより上の周波数を持ち、より好ましくは、９０２ＭＨｚから９２８ＭＨｚの範囲にわたるアメリカのＵＨＦ帯域内の周波数を持つ。
【００２３】
一般に、電磁波を吸収することができ、電磁波を放射することができる装置は、ここに記載された形で試験されることができる。しかしながら、前記アプローチは、例えばアンテナを有する共振構造が試験される場合、この場合に前記伝送は顕著な周波数依存性を示すので、特に有用である。好ましくは、前記方法は、トランスポンダ、特にＲＦＩＤシステムのトランスポンダを特徴づけ、試験するために使用される。これらのトランスポンダは、独自の独立したエネルギ源を持たないパッシブ型であることができる。代替例において、独自の独立したエネルギ源（例えばバッテリ）を持つ半パッシブ型又はアクティブ型トランスポンダ又はタグが試験されることができる。
【００２４】
実際的な理由から、前記電磁波は、無響（anechoic）空間を伝播する。前記無響空間は、無響室を用いて実現され、前記第１のアンテナ、前記共振構造及び前記第２のアンテナは、前記無響室に収容される。このように、前記第２のアンテナにより受信される信号は、測定プロシージャの結果を歪ませるかもしれない他の信号により影響を受けない。一例として、前記無響室はマルチパス伝播を抑制する。
【００２５】
決定装置、同様な測定装置及び環境による損失を補償するために、キャリブレーション（calibration）が必要である。スルーキャリブレーション（through-calibration）がこの目的で選択されて提供されることができる。このタイプのキャリブレーションは、定在波、及び自由場減衰（free field damping）等のような効果を補償する。
【００２６】
代替例において、２ポートキャリブレーションが提供されることができる。このタイプのキャリブレーションは、前記アンテナの反射を考慮に入れる。２ポートキャリブレーションを用いると、測定の値は、同じセットアップで解析されたサンプルとだけではなく、他の製造者の値と容易に比較されることができる絶対量である。
【００２７】
決定プロシージャの間に、信号生成器の出力ＨＦ信号は、前記第１のアンテナに送信される。前記第１のアンテナは、前記第２のアンテナの方向に電磁波を放射する。前記共振構造は、前記第１のアンテナと前記第２のアンテナとの間に位置し、前記放射された電磁波を変更する。保持装置は、前記共振構造を前記第１のアンテナの遠距離場内及び前記第２のアンテナの遠距離場内に保持するのに使用される。前記第２のアンテナは、前記変更された電磁波を受信する。
【００２８】
ＲＦＩＤトランスポンダの性質を調査するために、前記第１のアンテナ及び前記第２のアンテナは、無線周波数範囲内の電磁波を放射及び受信するように実現される。従来のダイポールアンテナ、マイクロパッチアンテナ若しくは長方形の金属の中空の導波路又は他のタイプが使用されることができる。前記第１のアンテナが送信アンテナ（Tx-antenna）により実現され、前記第２のアンテナが受信アンテナ（Rx-antenna）により実現されることが好ましい。
【００２９】
前記トランスポンダは、前記第１のアンテナと前記第２のアンテナとの間に配置される。この目的のために、保持装置が備えられるべきであり、前記保持装置は前記２つのアンテナ間の伝送に影響を与えない。特に有用なのは、低誘電率及び低透磁率を持つ電気絶縁体を含む保持装置である。好ましくは、誘電率は１に近く、透磁率も１に近い。前記装置は、全体的にこの材料からなることができるが、前記保持装置をこのようなＲＦ吸収材料で覆うことも可能である。前記保持装置は、前記特性パラメータの角度依存性の調査を可能にする回転する移動可能な台を有することができる。
【００３０】
前記第２のアンテナは、前記共振構造及び前記第１のアンテナから生じる電磁波を受信する。前記受信された電磁波は、交流電流に変換される。前記交流電流を測定する測定ユニットを用いて、前記交流電流に関連する電力値が決定される。この測定プロシージャに対して、従来の電力計が使用されることができる。
【００３１】
代替例において、前述の電力値は、前記第１のアンテナにより前記電磁波を生成するのに必要とされる電力値を測定する又は知っている同じネットワークアナライザにより測定される。第２の場合、前記測定された電力値は、前記ネットワークアナライザの入力電力の値である。
【００３２】
前記入力電力値及び出力電力値が前記ネットワークアナライザを用いて全ての周波数に対して決定されるので、これは、前記出力電力が放射性能（radiation performance）により影響を受けるので、−第１の電力値として前記出力電力値を処理し、第２の電力値として前記入力電力値を処理する処理手段として備えられた前記ネットワークアナライザを用いて−前記共振構造の特性パラメータとしての放射性質の決定を可能にする。実験は、前記共振構造のより高い伝送が、この構造がより高い相対的伝送効率（relative transmission efficiency）を持つことを意味することが示された。換言すると、本発明は、共振構造の相対的伝送効率を決定することを可能にする。
【００３３】
前記（相対的）伝送効率を知ることは、前記共振構造を同調することを可能にする。トランスポンダの場合、伝送、したがって伝送効率は、前記チップ及び前記アンテナ並びにこれら２つの部分の間の整合に依存する。一例として、常に同じアンテナを取ること、及びあるチップが他のチップの代わりに使用される場合に伝送効率が改良されるかどうかを試験することが可能である。これは、いずれの組み合わせが最高効率をもたらすかを見つけるのに使用されることができる。その逆に、常にこのチップと様々なアンテナの１つとからなるトランスポンダの伝送を測定することにより所定のチップに対して最良のアンテナを見つけることが可能である。更に、前記部分を整合する異なるアプローチは、いずれの種類の整合が最高の伝送効率をもたらすかを見つけるために試験されることができる。
【００３４】
前記ネットワークアナライザの出力電力が十分に高くない場合に、前記電磁波は、増幅器を介して前記第１のアンテナに送信されることができる。
【００３５】
上述のように、ここに記載された前記方法は、前記共振構造の共振周波数及び相対的伝送効率の決定を可能にし、前記構造の後の同調を可能にする。これは、２つの特性パラメータの決定が得られることを意味する。
【００３６】
本発明のこれら及び他の態様は、以下に記載される実施例を参照して説明され、明らかになる。
【発明を実施するための最良の形態】
【００３７】
図１は、本発明による装置Ｄの実施例を示す。装置Ｄは、共振電気構造の１つ以上の特性パラメータを決定するために備えられる。
【００３８】
掃引機能を持つネットワークアナライザ１は、電気信号、特に所定の出力レベルを持つ８１５ＭＨｚないし１０１５ＭＨｚの範囲内の変化する周波数を持つＨＦ信号ＯＵＴＳを生成し、前記レベルは、−１５ｄＢｍないし＋３ｄＢｍの範囲内である。ＨＦ信号ＯＵＴＳは、ネットワークアナライザ１のポートＡから２０ｄＢのゲインを持つＲＦ増幅器６に流れる。−放射された電磁波ＥＥＷに関連する電力を表す−ポートＡにおける出力電力値は、ネットワークアナライザ１において行われる測定プロシージャによりネットワークアナライザ１により決定される。ネットワークアナライザ１の他の実施例を用いると、前記出力電力の決定は、選択された出力電力の値がネットワークアナライザ１において単純に既知であり、したがって非常に単純に、及び時間を節約して決定されることができるような形で達成されることができる。増幅されたＨＦ信号ＯＵＴＳは、この場合、送信アンテナにより実現された第１のアンテナ２にフィードされる。前記送信アンテナは、電磁波ＥＥＷをトランスポンダ４及び受信アンテナにより実現された第２のアンテナ５に対する方向ＤＩＲに放射する。
【００３９】
トランスポンダ４は、９０２ＭＨｚないし９２８ＭＨｚの周波数範囲で動作するように実現され、備えられる。トランスポンダ４は、前記放射される電磁波を用いて第１のアンテナ２により生成された前記電磁場からエネルギを吸収する。このような吸収は結果として放射された電磁波ＥＥＷの変更を生じ、これにより変更された電磁波ＭＥＷが得られる。変更された電磁波ＭＥＷは、第２のアンテナ５を用いて後で受信される。第２のアンテナ５は電気信号ＩＮＳを生成する。電気信号ＩＮＳは、ネットワークアナライザ１のポートＢを介してネットワークアナライザ１にフィードされる。−受信された変更された電磁波ＭＥＷに関連する電力を表す−ポートＢにおける入力電力値は、ネットワークアナライザ１により測定される。
【００４０】
トランスポンダ４は、２つのアンテナ２と５との間に配置される。トランスポンダ４が第１のアンテナ２の遠距離場内及び第２のアンテナ５の遠距離場内であるように、トランスポンダ４と第１のアンテナ２との間の距離、及びトランスポンダ４と第２のアンテナ５との間の距離は、それぞれ少なくとも１メートルである。トランスポンダ４の場所は、縦の二重矢印ＤＡにより示されるようにｚ軸に沿って変化されることができる。トランスポンダ４を保持するために、回転する移動可能な台８が備えられた。台８を用いて、ｘｙ平面内のトランスポンダ４の角度位置に依存して伝送ＴＲを決定することが可能にされる。前記伝送は、ポートＡにおける出力電力値とポートＢにおける入力電力値との間の比に等しい。前記角度位置に関する伝送ＴＲの依存性に関心がない場合、紐（図示されない）を用いて無響室７の天井にトランスポンダ４を保持することが可能である。前記紐は、好ましくは両方とも１に等しい又は近い、低誘電率及び低透磁率を持つ材料からなる。実際に、試験プロシージャの間に、プラスチック材料がこのような紐に対して選択される。
【００４１】
図２は、ネットワークアナライザ１の３つの異なる出力電力値、特に０ｄＢｍ、＋３ｄＢｍ及び−１０ｄＢｍに対する伝送ＴＲ対周波数ｆのプロットである。前記プロットは、共振構造に対して典型的である。曲線が最大値を示す周波数（−１０ｄＢｍの入力電力に対して９００ＭＨｚ、＋３ｄＢｍの入力電力に対して９０７ＭＨｚ、−０ｄＢｍの入力電力に対して９１５ＭＨｚ）が共振周波数を表すので、問題は、いずれの曲線がトランスポンダ４の“真の”共振周波数をもたらすかである。
【００４２】
上述のように、アンテナ及びチップを有するトランスポンダの伝送効率は、アンテナのインピーダンスＺantの値がチップのインピーダンスＺchipの共役複素数値に等しい、即ちＺant＝Ｚchip*の場合に最良である。この条件が満たされる場合、前記トランスポンダの放射性能は最高であり、ネットワークアナライザ１により決定される伝送も同様である。図２から見られることができるように、最も適切な伝送は、０ｄＢｍの入力電力に対して得られる。したがって、試験されたトランスポンダ４の真の共振周波数は９１５ＭＨｚである。これは、トランスポンダ４が動作するように設計される周波数帯域９０２ＭＨｚないし９２８ＭＨｚの中心周波数である。
【００４３】
前記入力電力がより低く、特に−１０ｄＢｍに選択される場合、前記トランスポンダは、動作を開始するのに十分なエネルギを前記電磁場から吸収することができない。前記入力電力がより高く、特に＋３ｄＢｍに選択される場合、トランスポンダ５において誘導される電気的電圧は高くなりすぎる。この場合、余剰エネルギは複素インピーダンスに流れ、前記チップのインピーダンスを変化させる。これは、前記共振周波数をより低い値に変化させる。見られることができるように、＋３ｄＢｍの入力電力に対するスペクトルは広がっており、理論的には前記チップに並列である追加のインピーダンスに原因がある。
【００４４】
トランスポンダ４の共振周波数が低すぎることが分かった場合、これは、アンテナのラインを短くすることにより前記トランスポンダを同調するのに使用されることができる。トランスポンダ４の共振周波数が高すぎることが分かった場合、前記アンテナのラインは、より長くされなければならない。
【図面の簡単な説明】
【００４５】
【図１】トランスポンダの特性パラメータを測定する装置の概略的表現を示す。
【図２】図１による装置のネットワークアナライザの３つの異なる電力レベルにおける図１に示されるトランスポンダの伝送スペクトルを示す。
【図１】
2007526576.tif 000003
【図２】
2007526576.tif 000004
【国際調査報告】
2007526576.tif 000005
2007526576.tif 000006